(57)【特許請求の範囲】
【請求項１】
釣り用クーラー内の対向する壁面に形成された棚部に橋架状に支持されて配置される釣り用餌箱であって、前記棚部に橋架状に支持されるように両端側に外方に突出する被支持用突出部を備えているものにおいて、
該被支持用突出部のうち、少なくとも一端側に設けられたものが該端側から外方に弾性的に突出されていることを特徴とする釣り用餌箱。
【請求項２】
釣り用クーラー内の対向する壁面に形成された棚部に橋架状に支持されて配置される釣り用餌箱であって、前記棚部に橋架状に支持されるように両端側に外方に突出する被支持用突出部を備えているものにおいて、
該被支持用突出部のうち、少なくとも一端側に設けられたものが、該釣り用餌箱の該端側の側壁に貫設された貫通穴内において該釣り用餌箱の内外にスライド可能に配置され、しかも、前記端側から外方に弾性的に突出されていることを特徴とする釣り用餌箱。
【請求項３】
請求項１又は２に記載の釣り用餌箱は、釣り用クーラー内の対向する壁面に形成された棚部に橋架状に支持されて配置された際に、弾性的に突出されている前記被支持用突出部の先端が前記棚部の上に連なる前記壁面に弾性的に当接するように、該被支持用突出部が自由状態において弾性的に突出されていることを特徴とする釣り用餌箱。
【請求項４】
請求項１〜３に記載のいずれかの釣り用餌箱を、その両端側に設けられた被支持用突出部を、釣り用クーラー内の対向する壁面に形成された棚部に橋架状に支持させて備えていることを特徴とする、釣り用餌箱を備えた釣り用クーラー。
【発明の詳細な説明】
【０００１】
【発明の属する技術分野】
本発明は、釣用クーラー（クーラーボックス又はアイスボックスともいう）中に配置（収容）され、釣り餌を収容して保冷（冷却）したり、釣り針やハサミなどの釣り用小物を収容するために使用される釣り用餌箱（釣り用小物入れ（箱）ともいわれる）及びこれを備えた釣用クーラーに関する。
【０００２】
【従来の技術】
この種の釣用クーラー（以下、単にクーラーともいう）は、釣りを趣味とする人（以下釣り人という）にとっては必需品であり、釣り餌や釣果を収容するのに重宝されている。図９及び図１０は、この種のクーラー１の一例を示したものであり、その本体２は通常、略直方体の容器状をなし、上方が開口され、例えばヒンジ機構（図示せず）を介してカバー（蓋）３が開閉可能に取着されており、保冷効果が高められるように、本体２及びカバー３ともにプラスチックを主体として形成され、断熱材が各構成部内に充填されている。そして、クーラー本体２内の壁面５のうち、底部７から一定高さ部位には、その内壁面５の平面視、開口の周囲に沿って、例えば２〜５ｍｍ程度の幅Ｄの棚部９が形成され、その棚部９より上の対向する内壁面１５の相互間の間隔Ｗ１がその対向する棚部９の幅分、棚部９より下の対向する内壁面５の相互間の間隔Ｗ２よりも広く形成されている。このような構造とすることで、その対向する内壁面５の上に形成された棚部９を支持部として、釣り用餌箱１０１を橋架してクーラー１内に配置するように構成されている。しかして、図９、１０に示したクーラー１は、その本体２内の底部７の上に、保冷用の氷とともに釣果が収容され、釣り用餌箱１０１がその上に配置されるようになっている。
【０００３】
すなわち、釣には、通常、小えびやゴカイといった餌が必要であることから、このような餌を収容、保冷する必要があるため、クーラー１に釣り用餌箱１０１を収容する構成とされるのであるが、餌の取出し等の便宜を考慮して、釣り用餌箱１０１はクーラー内の上方に配置されるのが普通である。そして、このような釣り用餌箱１０１は、釣り用餌箱本体の対向する外壁１０３、１０５に、それぞれ外方に突出する被支持用突出部１０４、１０６を備えており、その両被支持用突出部１０４、１０６を、クーラー本体２の対向する内壁面５の上に形成された棚部９に載置するようにして橋架され、クーラー内に配置される。なお、このような釣り用餌箱１０１は、通常は、蓋１３０が取付けられている。
【０００４】
一方、このような釣り用餌箱１０１は、クーラーの付属品としてクーラーに付帯したものとして、セットで販売されることもあるが、クーラーとは別に、いわゆる別売りもされている。そして、このような釣用クーラー１は、例えば、１６リットル、２０リットル、３０リットルなど、各種の大きさ（容量）のものがあるが、例え同一容量のものでも、対向する内壁面の棚部相互間の間隔（寸法）Ｗ１、又はＷ２はメーカーによっても、或いは同一メーカーのものでも、品種や型などによって少しずつ異なる。
【０００５】
【発明が解決しようとする課題】
このため、例えば、既に所有している釣用クーラー１に、後で別途に、釣り用餌箱１０１のみを購入し、これをそのクーラー内に配置して使用する際には、その対向する内壁面５の棚部９に具合良く橋架できず、配置できない場合があった。すなわち、特定容量のクーラー用の餌箱として購入しても、その釣り用餌箱の対向する外壁１０３、１０５に設けられた、外方に突出する被支持用突出部１０４、１０６の相互間の寸法が大きいため、その被支持用突出部がクーラー本体２の棚部９より上の内壁面１５に干渉して収容できないといった場合があった。また逆に、釣り用餌箱のその被支持用突出部１０４、１０６の相互間寸法が小さいため、対向する棚部９に橋架できないことや、橋架代が少ないため、安定した橋架ができないこともあった。因みに、所望とする橋架状態が確保できないときは、クーラー内の底部に置くことになる。
【０００６】
このように、従来の別売りの釣り用餌箱は、クーラーのメーカーが異なる場合、或いは同一メーカーでも具合良く収容できない場合があり、需要者にしてみれば汎用性に欠けるため、使い勝ってが悪いといった指摘があった。しかも、安定した橋架ができない場合には、振動により釣り用餌箱がクーラー内で移動ないし踊ってしまい、底部に外れ落ちてしまうこともあり、安定した餌の保冷ないし保存ができないこともあった。
【０００７】
本発明は、こうした問題点に鑑みて成されたもので、その目的は、釣り用クーラー内の対向する壁面に形成された棚部相互間の間隔（寸法）に多少の寸法違いがあっても、安定して橋架配置できる、釣り用餌箱、及びこれを備えた釣り用クーラーを提供することをその目的とする。
【０００８】
【課題を解決するための手段】
上記の目的を達成するための請求項１記載の発明は、釣り用クーラー内の対向する壁面に形成された棚部に橋架状に支持されて配置される釣り用餌箱であって、前記棚部に橋架状に支持されるように両端側に外方に突出する被支持用突出部を備えているものにおいて、
該被支持用突出部のうち、少なくとも一端側に設けられたものが該端側から外方に弾性的に突出されていることを特徴とする。
【０００９】
また、請求項２記載の発明は、釣り用クーラー内の対向する壁面に形成された棚部に橋架状に支持されて配置される釣り用餌箱であって、前記棚部に橋架状に支持されるように両端側に外方に突出する被支持用突出部を備えているものにおいて、
該被支持用突出部のうち、少なくとも一端側に設けられたものが、該釣り用餌箱の該端側の側壁に貫設された貫通穴内において該釣り用餌箱の内外にスライド可能に配置され、しかも、前記端側から外方に弾性的に突出されていることを特徴とする。
【００１０】
このような本発明では、弾性的に突出されている被支持用突出部により、その弾性的な突出量分、被支持用突出部の突出量が弾性的に調整可能となるため、釣り用クーラー内の対向する壁面に形成された棚部相互間の間隔に多少の寸法違いがあっても、つまり、釣り用餌箱を収容、配置しようとしている釣り用クーラーが異なる場合であっても、橋架配置が可能となる。なお、本発明において、該被支持用突出部のうち、少なくとも一端側に設けられたものとしたのは、弾性的に突出されている被支持用突出部は、両端側に設けてもよいためである。そして、本発明において、弾性的に突出されているとは、バネ（バネ手段）を介して突出されていることを意味し、ここにバネには、コイルバネが代表的なものとして例示されるが、これに限定されるものではない。
【００１１】
そして、このような本発明は、請求項３に記載のようにするとよい。すなわち、請求項１又は２に記載の釣り用餌箱は、釣り用クーラー内の対向する壁面に形成された棚部に橋架状に支持されて配置された際に、弾性的に突出されている前記被支持用突出部の先端が前記棚部の上に連なる前記壁面に弾性的に当接するように、該被支持用突出部が自由状態（釣り用クーラー内の棚部に橋架状に配置する前の状態）において弾性的に突出されていることを特徴とする。
【００１２】
請求項３に記載の釣り用餌箱においては、これを釣り用クーラー内の対向する壁面に形成された棚部に橋架状に支持させた際において、該被支持用突出部が対向する棚部に単に支持されるだけでなく、その先端が壁面に弾性的に当接する。つまり、弾性的に突出されている前記被支持用突出部の先端が前記棚部の上に連なる前記壁面に対し、突っ張った状態となる。このため、このような釣り用餌箱は、釣り用クーラー内において安定良く支持される。
【００１３】
さらに請求項４に記載の本発明は、請求項１〜３に記載のいずれかの釣り用餌箱を、その両端側に設けられた被支持用突出部を、釣り用クーラー内の対向する壁面に形成された棚部に橋架状に支持させて備えていることを特徴とする、釣り用餌箱を備えた釣り用クーラーである。すなわち、釣り用クーラー内の対向する壁面に形成された棚部に橋架状に支持されるように、両端側に外方に突出する被支持用突出部を備えている釣り用餌箱を、前記棚部にて橋架状に支持して釣り用餌箱を備えた釣り用クーラーにおいて、前記釣り用餌箱が、請求項１〜３に記載のいずれかのものであることを特徴とする、釣り用餌箱を備えた釣り用クーラーである。このような釣り用餌箱を備えた釣り用クーラーによれば、該餌箱が釣り用クーラー内にて安定して収容される。
【００１４】
【発明の実施の形態】
本発明に係る釣り用餌箱（以下、単に餌箱ともいう）の第１の実施の形態について、図１ないし図４を参照して詳細に説明する。ただし、図中、１は、釣り用クーラーであり、上方を開口する直方体容器状をなすボックス本体２と、その開口をカバーするカバー（蓋）３を主体として構成されている。カバー３は、例えば図示しないヒンジ機構を介して開閉するように取付けられている。このようなクーラー１をなすボックス本体２の内側の壁面５は、平坦な底部７から略垂直に立ちあがり、対向するもの同士が平行に配置されている。そして、各壁面５とも、その上端寄り部位には、各壁面５と垂直で、一定の幅（例えば幅３ｍｍ）Ｄの略水平な棚部９が開口に沿って、平面視、矩形（長方形）枠状に形成されている。また、棚部９の上には、棚部９の外寄り端から垂直に連なるように壁面１５が例えば２０ｍｍ程度立ち上がった形で形成され、その上にはカバー３の裏面側の周囲が嵌合する凹段部１６が形成されている。このように本形態では、餌箱が収容、配置される釣り用クーラー１自体は、従来のものと同じである。
【００１５】
一方、本形態の釣り用餌箱２０１は、クーラー１内の対向する壁面５に形成された棚部９のうち、平面視、本例では長辺をなす、対向する棚部９相互に橋架状に支持されて配置されるように次のように形成されている。すなわち、本形態の釣り用餌箱２０１は、浅めの直方体の容器（上方を開口する箱）形状をなし、その餌箱本体２０１ａの長手方向の長さは、平面視、クーラー１の長辺側をなす壁面５間に収容され得るように、その壁面５間の間隔Ｗ２よりやや小さく設定されている。そして、釣り用餌箱２０１の長手方向における左端側の側壁２０３の上端寄りの外側には、一定厚さでその側壁２０３の上端（辺）に沿って、外方（図３左方）に一定寸法（例えば５ｍｍ）突出する形をなす凸状部からなる被支持用突出部２０４を備えている。
【００１６】
そして、釣り用餌箱２０１の長手方向における右端側の側壁２０５の上寄り部位には、水平方向に長い、一定溝幅のスリット状の貫通穴（以下、スリットともいう）２０７が貫設されている。スリット２０７の長さ（平面視の幅）は、本形態では、平面視において釣り用餌箱２０１の短辺の長さに近い寸法に設定されている。このようなスリット２０７には、平面視、矩形をなす一定厚さの板部材（平板）２０６が、釣り用餌箱２０１の長手方向においてその内外にスライドするように配置されている。ただし、本形態では、該板部材２０６の餌箱２０１内側における端部の下面に、正面視、該板部材２０６の板面に対して垂直をなすように、一定厚さの板片２１０が固着されている。この板片２１０は、板部材２０６を外方に向けてスリット２０７内をスライドさせた際において、右端側の側壁２０５の内面に当接させ、ストッパーの作用をさせるように構成されている。
【００１７】
そして、この板片２１０の平面視における両端寄り部位には、所定の直径の円形穴２２１が水平方向に貫設されており、この２つの円形穴２２１内に串刺し状をなすように、前記板部材２０６のスライド方向に、それぞれ断面円形の軸材２２４が配置されている。そして、各軸材２２４は、その一端部（図示右端部）を餌箱２０１の短辺側の側壁２０５の内面に固定し、他端部を、その側壁２０５から離間して餌箱２０１内に固定された仕切り板２２６に固定し、この仕切り板２２６と板片２１０との間であって各軸材２２４の外周面には、例えばステンレス線からなる圧縮コイルバネ２２８が同軸状に外嵌めされている。ただし、コイルバネ２２８は、外嵌め状態において板片２１０とともに板部材２０６を餌箱２０１の側壁２０５、つまり右端側から外方に弾性的に突出させることのできる適度の寸法、およびバネ定数のものである。なお、突出される板部材２０６の下面は、餌箱２０１の長手方向における左端側の外側に突出するように設けられた、凸状部からなる被支持用突出部２０４の下面と略同一高さとなるように設定されている。こうして、本形態では、板部材２０６のうち、餌箱２０１の正面視、右側の側壁２０５、つまり右端側から外方に弾性的に突出する部分が、右端側の被支持用突出部をなすように構成されている。
【００１８】
なお、餌箱２０１の上部には、長手方向において、一端側（図示左端側）が持ち上げられる形で開口される蓋２３０が開閉自在に蝶着されている。図中２３３は、開閉用のツマミである。また、餌箱２０１をなす右側の側壁２０５と仕切り板２２６との間の上方にはその内部を塞ぐ蓋２３５が取り付けられている。
【００１９】
しかして、本形態の餌箱２０１は、それがクーラー内に配置されていない場合には、板部材２０６からなる右端側に設けられた被支持用突出部が、コイルバネ２２８のバネ作用によって、右の側壁２０５のスリット２０７から外方に一杯（例えば３５ｍｍ）突出する。そして、板部材（被支持用突出部）２０６の先端２０６ａが、そのバネに抗して餌箱２０１の内方に押込まれると、左右両側の被支持用突出部２０４、２０６間の寸法が小さくなる。本形態では、右端側に設けられた板部材（被支持用突出部）２０６が、コイルバネ２２８のバネに抗して半分程度、餌箱２０１の内方に押込まれたときに、クーラー１内の対向する壁面５に形成された棚部９のうち、平面視、長辺をなす対向する棚部９に橋架状に支持されて配置されるように構成されている。したがって、その棚部９に橋架状に支持されて配置された際には、弾性的に突出されている右側の板部材（被支持用突出部）２０６の先端２０６ａが棚部９の上に連なる壁面１５に弾性的に当接し、左側の被支持用突出部２０４の先端も棚部９の上に連なる壁面１５に当接するように構成されている。
【００２０】
このような本形態の釣り用餌箱２０１は、これを両端側に設けられた被支持用突出部２０４、２０６間の寸法を縮めるようにしつつ、釣り用クーラー１内の対向する壁面５に形成された棚部９に橋架状に支持させる。こうすることで、その釣り用餌箱２０１は、クーラー１の内に配置されるが、そのときは、弾性的に突出されている右側の板部材（被支持用突出部）２０６の先端２０６ａが棚部９の上に連なる壁面１５に弾性的に当接する。結果として、左右両側の被支持用突出部２０４、２０６の先端にて壁面１５に突っ張り状態となって棚部９の上に支持されるため、横ずれ（すべり）もなく、安定したクーラー内への配置が確保される。
【００２１】
しかも、右側の板部材（被支持用突出部）２０６がコイルバネ２２８を介して弾性的に突出されているため、その弾性による出入り調節可能範囲において、棚部９相互間の寸法Ｗ２が多少相違するクーラーにも問題なく、しかも安定して配置できる。したがって、極めて使い勝手のよい餌箱となすことができる。なお、棚部９の上に支持されたとき、左右両側の被支持用突出部２０４、２０６の先端にて壁面１５に突っ張り状態とならないとしても、棚部９の上に支持される範囲において、寸法Ｗ２が相違してもその配置ができる。本形態ではコイルバネ２２８を介して弾性的に突出されている、被支持用突出部をなす板部材を右側のみとしたが、左右両側において具体化することもできる。クーラー内のその余のスペースは氷や獲物（釣果）を入れるところである。
【００２２】
次に本発明の餌箱の第２の実施の形態について、図５及び図６を参照して説明する。ただし、本形態の餌箱３０１においては、前記形態がその右端側から外方に弾性的に突出されている被支持用突出部が１つの板部材２０６からなるものとして具体化したのに対し、これを２つ（２本）の軸部材３０６とした点のみが相違するだけであり、したがって前記形態の変形例とでも言うべきものであるため、同一部位には同一の符号を付し、その相違点を中心に説明する。
【００２３】
すなわち、本形態では、餌箱３０１の右端側の側壁２０５における平面視、左右両側寄り部位に、同一直径の円形の貫通穴（以下、円形穴という）３０７が水平方向に２つ貫設されている。ただし、２つの円形穴３０７の餌箱３０１の底部３０２からの高さは同じとされている。このような各円形穴３０７には、軸断面が一定で円形のストレート状の軸部材３０６が、釣り用餌箱３０１の長手方向においてその内外にスライドするように配置されている。ただし、軸部材３０６の餌箱内側における端部（左端部）にはフランジ３１０が設けられており、そのフランジ３１０の左の端面にはコイルバネ３２８がその一端部（図５右端部）を介して軸部材３０６と同軸状に取り付けられており、コイルバネ３２８の他端部（図５左端部）は仕切り板２２６に取付けられている。こうして、軸部材３０６を常時、外方に突出するように押しやっている。なお、軸部材３０６は、取付けられたフランジ３１０が、餌箱３０１の右側の側壁２０５の内壁面に固定された円形穴付き止め板（リング）３１２に当接して係止するように設定されている。
【００２４】
すなわち、本形態では、餌箱３０１の右端側の側壁２０５における平面視、左右両側寄り部位に、所定の直径の円形穴３０７が水平方向に２つ貫設されており、この２つの円形穴３０７内に、串刺し状となり、餌箱３０１の右端側において内外にスライドするように断面円形の軸部材３０６が配置され、この軸部材３０６をコイルバネ３２８にて餌箱３０１の側壁２０５、つまり右端側から外方に弾性的に突出させている。こうして、本形態では、２つの軸部材３０６のうち、餌箱３０１の側壁２０５から外方に弾性的に突出されている部分が、右端側の被支持用突出部をなすように構成されている。なお、突出された軸部材３０６の下縁は、左端側の外側に突出するように設けられた、凸状部からなる被支持用突出部２０４の下面と略同一高さとなるように設定されている。
【００２５】
また、本形態でも、右端側に設けられた軸部材（被支持用突出部）３０６が、コイルバネ３２８に抗して半分程度、餌箱３０１の内方に押込まれたときに、クーラー内の対向する壁面５に形成された棚部９のうち、平面視、長辺をなす対向する棚部９相互間に橋架状に支持されて配置されるように構成されている。そして、その棚部９に橋架状に支持されて配置された際には、被支持用突出部２０４、３０６の先端が棚部９の上に連なる壁面１５に当接するように構成されている。
【００２６】
しかして、本形態の餌箱３０１は、これを両端側に設けられた被支持用突出部２０４、３０６間の寸法を縮めるようにしつつ、釣り用クーラー内の対向する壁面５に形成された棚部９に橋架状に支持させる。こうすることで、本形態の釣り用餌箱３０１は、クーラー内に配置されるが、そのときは、弾性的に突出されている右側の軸部材（被支持用突出部）３０６の先端が棚部９の上に連なる壁面１５に弾性的に当接する。つまり、左右両側の被支持用突出部２０４、３０６の先端にて壁面１５、１５に突っ張り状態となって棚部９の上に支持されるため、横ずれもなく、安定したクーラー内への収容が図られる。なお、本形態でも、コイルバネ３２８を介して弾性的に突出されている軸部材からなる被支持用突出部を右側のみとしたが、左右両側において具体化してもよい。本形態では、その構成から明らかなように、前記形態に比べその構造の簡略化が図られる。また、軸部材３０６の数は３以上としてもよい。そして、３以上とする場合には、これを略等間隔に配置するとよい。
【００２７】
さて、次に本発明の餌箱の第３の実施の形態について、図７及び図８を参照して説明する。ただし、本形態の餌箱４０１は、その右側の端側の側壁２０５の外面から外方に、円断面をなす２つの短軸４０６がコイルバネ４２８を介することで、弾性的に突出されるようにしたものであり、いわば前記形態をさらに簡略化したものであるため、相違点のみ説明し、同一部位には同一の符号を付すに止める。
【００２８】
すなわち、本形態では、餌箱４０１の右端側の側壁２０５における外面に、平面視、左右両側寄り部位に、自由状態における長さを含め、同一のコイルバネ４２８がその一端部（図７左端部）を介して固定されている。ただし、２つのコイルバネ４２８は餌箱４０１の底部４０２から同じ高さに取り付けられている。そして、各コイルバネ４２８の先端には、円断面をなす２つの短軸４０６が取付けられて、２つの被支持用突出部を形成している。すなわち、この２つの短軸（被支持用突出部）４０６をコイルバネ４２８にて餌箱４０１の側壁２０５、つまり右端側から外方に弾性的に突出させている。なお、短軸（被支持用突出部）４０６をなす短軸４０６の下縁は、長手方向における左端側の外側に突出するように設けられた、凸状部からなる被支持用突出部２０４の下面と略同一高さとなるように設定されている。
【００２９】
このような本形態でも、右端側に設けられた短軸４０６は、コイルバネ４２８が圧縮され、左端側に設けられた被支持用突出部２０４とともに、クーラー内の対向する壁面５に形成された棚部９のうち、平面視、長辺をなす対向する棚部９に橋架状に支持されて配置されるように構成されている。そして、その棚部９に橋架状に支持されて配置された際には、右側の短軸４０６の先端が棚部９の上に連なる壁面１５に弾性的に当接するように構成されている。
【００３０】
しかして、本形態の餌箱４０１も、これを両端側に設けられた被支持用突出部２０４、４０６間の寸法を縮めるようにしつつ、釣り用クーラー１内の対向する壁面５に形成された棚部９に橋架状に支持させることで、クーラー内に配置される。そのとき、弾性的に突出されている右側の短軸４０６からなる被支持用突出部の先端が棚部９の上に連なる壁面１５に弾性的に当接するため、横ずれもなく、安定した収容が図られる。本形態では餌箱４０１の側壁２０５の外面に、コイルバネを介して短軸４０６を設けた構造としたため、さらにその構造の簡易化が図られる。
【００３１】
上記の各形態では、外方に弾性的に突出されている被支持用突出部をいずれも餌箱の片方の端側において具体化したが、両方の端側において具体化してもよい。また、外方に弾性的に突出されている被支持用突出部について、これを外方に弾性的に突出させる手段として、いずれの形態でもコイルバネを利用した場合を例示したが、板バネや竹の子バネを用いることもできる。さらに、蛇腹状に形成したゴムでもよいし、図７、８のものにおいては、軸状に形成されたゴムやスポンジなどの弾性体を用いることもできる。被支持用突出部を外方に弾性的に突出させることができるものであればよいためである。
【００３２】
本発明は、上記形態のものに限定されるものではなく、その要旨を逸脱しない範囲において適宜に設計変更して具体化できる。例えば、釣り用餌箱に設けた被支持用突出部は、前記各形態では、同餌箱を直方体形状のものとし、その長手方向おいて対向するの端側に設けた場合を例示したが、短手方向において対向するの端側に設けてもよい。また、被支持用突出部を設ける高さも、クーラー内の棚部に橋架できる限りにおいて任意に設定すればよい。さらに、被支持用突出部の形状等は適宜の形状、構造に設計すればよい。また、両端側に設けられた被支持用突出部を釣り用クーラー内の対向する、平面視長辺をなす壁面に形成された棚部に橋架状に支持させた場合を例示したが、平面視短辺をなす壁面に形成された棚部に橋架状に支持させるようにしてもよい。なお、棚部は、クーラー内の壁面の上端寄りに形成されるのが普通であるが、本発明の餌箱は、それより低い高さ部位に形成されたものにおいても適用できる。なお、本発明の餌箱は、前記もしたように、釣り餌を収容して保冷（冷却）するものの他、釣り針やハサミなどの釣り用小物を収容する釣り用小物入れ（箱）としても使用できる。
【００３３】
【発明の効果】
以上の説明から明らかなように本発明の釣り用餌箱によれば、これをクーラーとは別売りで提供する場合や、クーラーのメーカーが異なる場合でも、特定呼び容量のクーラーに広く使用できる。したがって、本発明の釣り用餌箱は、需要者にしてみれば汎用性が高いことから、使い勝ってが極めてよい。しかも、弾性的に突出されている被支持用突出部の先端が棚部の上に連なる壁面に弾性的に当接する（突っ張る）ものでは、安定した橋架が確保されるため、振動により釣り用餌箱がクーラー内で横ずれなどの移動や踊ることを防止できる。
【図面の簡単な説明】
【図１】本発明の第１の実施の形態の釣り用餌箱、及びカバーを開けた釣り用クーラーの正面縦断面図。
【図２】図１においてカバーを開け、釣り用餌箱の蓋を除去した一部破断平面図。
【図３】図１における釣り用餌箱部の正面縦断面図及びその要部拡大破断面図。
【図４】図３の一部省略破断平面図。
【図５】本発明の第２の実施の形態の釣り用餌箱の正面縦断面図及びその要部拡大破断面図。
【図６】図５の一部省略破断平面図。
【図７】本発明の第３の実施の形態の釣り用餌箱の正面縦断面図及びその要部拡大破断面図。
【図８】図７の一部省略破断平面図。
【図９】カバーを開けた従来の釣り用クーラー、及び釣り用餌箱の正面縦断面図。
【図１０】図９のクーラーにおいてカバーを開けた一部破断平面図。
【符号の説明】
１  釣り用クーラー
５  クーラー内の対向する壁面
９  クーラー内の棚部
１５  棚部の上に連なる壁面
２０１、３０１、４０１  釣り用餌箱
２０３、２０５    餌箱の端側の側壁
２０４  被支持用突出部
２０６  板部材（被支持用突出部）
３０６  軸部材（被支持用突出部）
４０６  短軸（被支持用突出部）
２０７、３０７  餌箱の端側の側壁に貫設された貫通穴
【図１】
0003616753.tif 000002
【図２】
0003616753.tif 000003
【図３】
0003616753.tif 000004
【図４】
0003616753.tif 000005
【図５】
0003616753.tif 000006
【図６】
0003616753.tif 000007
【図７】
0003616753.tif 000008
【図８】
0003616753.tif 000009
【図９】
0003616753.tif 000010
【図１０】
0003616753.tif 000011